(57)【特許請求の範囲】
【請求項１】
前側セクション（１０２）と、後側セクション（１０４）とに配置された複数の個別コイル素子、を備える磁気共鳴イメージング用の多重チャンネル・アレイコイル（１００）であって、前記前側（１０２）と後側（１０４）のセクションに関連する複数のコイル素子は第１の方向について互いから変位させており、かつ前記前側（１０２）と後側セクション（１０４）の両者は左部分（１０６）と右部分（１０８）を形成する複数のコイル素子を含むと共に、該左部分（１０６）と右部分（１０８）に関連する複数のコイル素子は、第２の方向について互いから変位されており、該左部分（１０６）と右部分（１０８）の各々はさらに第３の方向について互いから変位させた上側コイル素子（１１０）と関連する下側コイル素子（１１０）を含んでおり、前記上側コイル（１１０）素子の各々は関連する下側コイル素子（１１０）と互いのコイル導体が角度を持って重複点で交差する重複構成で配列されており、前記左部分（１０６）と右部分（１０８）の各々は互いに交差せず、これらの間が変成器（１２２ａ）（１２２ｂ）によってデカップリングされている、
多重チャンネル・アレイコイル（１００）。
【請求項２】
前記上側コイル（１１０）素子と前記下側コイル素子（１１０）の重複エリアにおいて、前記上側コイル（１１０）素子と前記下側コイル素子（１１０）の各々のコイル導体は約４５°の角度で両側面から内側に曲げられており、前記各々のコイル導体が互いに対して概して垂直な角度で交差している、請求項１に記載の多重チャンネル・アレイコイル（１００）。
【請求項３】
前記前側セクション（１０２）は前置増幅器（１１６）デカップリングによって前記後側セクション（１０４）から分離されている、請求項１又は２に記載の多重チャンネル・アレイコイル（１００）。
【請求項４】
前記前側（１０２）と後側セクション（１０４）の両者は対称に整列し、前記左部分（１０６）と右部分（１０８）の両者は対称に整列し、前記上側及び下側コイル素子（１１０）の各々は形状が概して矩形であると共に概して扁平な導体材料より形成させている、請求項１乃至３のいずれかに記載の多重チャンネル・アレイコイル（１００）。
【請求項５】
コンピュータ（１０）と、偏向磁場を発生させるためのマグネット・アセンブリ（３４）と、前記偏向磁場に選択した傾斜軸に沿って傾斜波形を印加するための傾斜コイル・アセンブリ（１６）と、撮像対象の核スピンを励起するようにＲＦエネルギーを印加し、その後に前記撮像対象の励起原子核が発生させる信号を検出するための無線周波数（ＲＦ）送受信器システム（３６）であって、さらに請求項１乃至４のいずれかに記載の多重チャンネル・アレイコイル（１００）を備えているＲＦ送受信器システム（３６）と、を備える磁気共鳴イメージング（ＭＲＩ）システム（８）であって、前記多重チャンネル・アレイコイル（１００）が検出した信号を前記コンピュータ（１０）によって処理して、前記撮像対象のＭＲ画像を作成している、磁気共鳴イメージング（ＭＲＩ）システム（８）。
【請求項６】
前記多重チャンネル心臓アレイコイル（１００）は感度エンコーディング（ＳＥＮＳＥ）イメージング技法向けに構成されている、請求項５に記載の磁気共鳴イメージング（ＭＲＩ）システム（８）。
【請求項７】
磁気共鳴イメージング（ＭＲＩ）の感度エンコーディングでの使用に適するように多重チャンネル・アレイコイル（１００）を構成させる方法であって、
第１組の個別コイル素子（１１０）を前側セクション（１０２）をなすように配列させるステップと、
第２組の個別コイル素子（１１０）を後側セクション（１０４）をなすように配列させるステップと、を含んでおり、
前記前側（１０２）と後側（１０４）のセクションは第１の方向について互いから変位させており、かつ前記前側（１０２）と後側セクション（１０４）の両者は第２の方向について互いから変位させた左部分（１０６）と右部分（１０８）をなすようにさらに配列させていると共に、該左部分（１０６）と右部分（１０８）の各々はさらに第３の方向について互いから変位させた上側コイル素子と下側コイル素子により配列させており、前記上側コイル（１１０）素子の各々は前記下側コイル素子（１１０）のうちの関連する１素子と互いのコイル導体が角度を持って重複点で交差する重複構成で配列させており、前記左部分（１０６）と右部分（１０８）の各々は互いに交差せず、これらの間が変成器（１２２ａ）（１２２ｂ）によってデカップリングされている、アレイコイルの構成方法。
【発明の詳細な説明】
【０００１】
【発明の属する技術分野】
本開示は、全般的には磁気共鳴イメージング（ＭＲＩ）システムに関し、さらに詳細には、ＭＲＩにおける感度エンコーディング（ＳＥＮＳＥ）のための多重チャンネル心臓アレイ（ｃａｒｄｉａｃ  ａｒｒａｙ）に関する。
【０００２】
【発明の背景】
従来のＭＲＩデバイスは、例えばＭＲＩを受けようとするヒトの体軸に沿って均一な磁場を確立させている。この均一な磁場は、（身体組織を形成している原子や分子内の）原子核の核スピンをその磁場軸の方向に整列させることによってイメージングのためにヒトの身体の内部を条件付けしている。核スピンの向きがじょう乱を受けて磁場と整列しなくなると、原子核はその核スピンを磁場軸と再整列させようとする。核スピンの向きのじょう乱は、無線周波数（ＲＦ）パルスの印加に起因することがある。再整列過程の間に、原子核は磁場軸の周りを歳差運動し、ヒトの上または周りに配置した１つまたは複数のコイルによって検出することができるような電磁的信号を発生させる。
【０００３】
歳差運動している所与の原子核が発生させる核磁気放射（ＮＭＲ）信号の周波数は、原子核の場所における磁場の強さに依存する。当技術分野でよく知られているように、ヒトの身体内の様々な場所から発生する放射は、ヒトの身体全体に及ぶように磁場に磁場傾斜をつけることによって簡単に識別することができる。便宜上、この磁場傾斜の方向を左右方向と呼ぶことがある。ある特定の周波数の放射はこの磁場傾斜内の所与の位置（すなわち、ヒトの身体内の所与の左−右位置）で発生するものと見なすことができる。こうした磁場傾斜の印加のことを周波数エンコードともいう。
【０００４】
しかし、磁場傾斜の単純な印加は２次元分解能を考慮していない、というのも所与の左−右位置にあるすべての原子核は同じ磁場強度を受けているため同じ周波数をもつ放射を発生させるからである。したがって、１つの周波数エンコード傾斜の印加単独では、所与の左−右位置においてヒトの上側から発生する放射と下側から発生する放射とを区別することができない。様々な強度をもつ傾斜を垂直方向に印加し原子核を様々な量だけじょう乱させることによってこの第２の方向での分解能が可能となることが分かっている。こうした追加的な傾斜の印加のことを位相エンコードともいう。
【０００５】
１回の位相エンコード・ステップの間にコイルにより検知した周波数エンコード・データは、ｋ空間マトリックスとしても知られるデータ・マトリックス内の１本のデータラインとして保存している。ｋ空間マトリックスの複数のデータラインを満たすためには複数回の位相エンコード・ステップを実施する。このマトリックスをフーリエ変換し、この周波数情報を、画像対象の核スピン分布や原子核密度を表している空間情報に変換することによってこのマトリックスから画像を作成することができる。
【０００６】
ＭＲＩは、広範囲にわたる臓器系や病態生理学的処置に関して有用な臨床診断ツールであることが立証されている。そのデータからは解剖学情報と機能情報の両方を収集することができ、またｋ空間マトリックスを満たすためのテクノロジー及び技法が向上するのに伴って新たな応用が開発され続けている。テクノロジーの発展によって例えば達成可能な空間分解能が向上したことに伴って、ＭＲＩを用いてさらに精細に解剖細部を撮像し評価できるようになった。しかし多くの場合、空間分解能と撮像時間の間にはトレードオフ関係が存在する。というのも、高分解能の画像ほどより長い収集時間が必要となるからである。空間分解能と時間分解能の間のこのバランスは、例えば、冠動脈解剖構造の精細な細部を高速で拍動する心臓の表面上で識別しなければならないような心臓ＭＲＩにおいて特に重要である。
【０００７】
撮像時間は、ＭＲＩデバイスがそのｋ空間マトリックスを満たすことができる速さに関する主たるファクタの１つである。従来のＭＲＩでは、ｋ空間マトリックスは一度に１ラインずつ満たしている。この一般領域では多くの改良がなされてきたが、ｋ空間マトリックスを満たすことができる速さには限界がある。これらの本質的な限界を克服するために、磁場傾斜の各印加ごとに複数のデータラインを同時に収集するような幾つかの技法が開発されている。これらの技法は、一括して「並列イメージング技法（ｐａｒａｌｌｅｌ  ｉｍａｇｉｎｇ  ｔｅｃｈｎｉｑｕｅｓ）」と特徴付けられることがあり、ＲＦ検出器コイルのアレイからの空間情報を用いることによって、磁場傾斜とＲＦパルスを用いた場合では逐次方式で取得しなければならなくなるようなエンコードの代用をしている。有効な検出器を複数使用しているため、傾斜切換速度やＲＦパワー預託（ｐｏｗｅｒ  ｄｅｐｏｓｉｔｉｏｎ）を増加させずに撮像速度が増大することが分かっている。
【０００８】
最近開発されインビボ・イメージングに利用されているこうした並列イメージング技法の１つはＳＥＮＳＥ（ＳＥＮＳｉｔｉｖｉｔｙ  Ｅｎｃｏｄｉｎｇ：感度エンコーディング）と呼ばれるものである。このＳＥＮＳＥ技法は、受信素子（例えば、共振子、コイル、アンテナ）の空間的感度プロフィールが画像再構成に関して使用可能なスピン共鳴信号の位置情報に影響を及ぼすという事実の認識に基づいている。その各々がそれぞれ特有の感度プロフィールを有するような別々の複数の受信素子を並列に使用しており、かつ検出したそれぞれのスピン共鳴信号を合成しているため、最も有利なケースでは使用する受信用部材の数に等しいような比率（ＰｒｕｅｓｓｍａｎｎらによるＭａｇｎｅｔｉｃ  Ｒｅｓｏｎａｎｃｅ  ｉｎ  Ｍｅｄｉｃｉｎｅ  Ｖｏｌ．４２，ｐ．９５２〜９６２（１９９９）を参照）で１枚の画像に要とする収集時間を（従来のフーリエ画像再構成と比較して）短縮することができる。
【０００９】
しかし、構成コイルの感度に関して、特徴付けが不十分であるか互いの違いが不十分であるかのいずれかの場合に、ＳＥＮＳＥ技法に欠点が生じる。これらの不安定性は、再構成画像内の局在性のアーチファクトとして出現することや、信号対雑音比（ＳＮＲ）の劣化を生じさせることがある。したがって、態様のうちとりわけ、ＳＥＮＳＥなど並列イメージング技法の使用あるいは未使用に関わらず、ＭＲＩシステムにおいて高いＳＮＲを提供するようなＲＦコイルアレイを実現することが望ましい。
【特許文献１】
米国特許第６０９７１８６号
【００１０】
【課題を解決するための手段】
上述した欠点及び欠陥や従来技術のその他の欠点及び欠陥は、磁気共鳴イメージング向けの多重チャンネル・アレイコイルによって克服または軽減される。例示的な実施の一形態では、そのアレイコイルは、前側セクションと後側セクションを含む。これら前側と後側のセクションは第１の方向について互いから変位させており、また前側と後側セクションの両者はさらに第２の方向について互いから変位させた左部分と右部分を含む。この左部分と右部分の各々はさらに、第３の方向について互いから変位させた上側コイル素子と下側コイル素子を含む。
【００１１】
別の態様では、磁気共鳴イメージング向け多重チャンネル・アレイコイルは前側セクションと後側セクションを有する。これら前側と後側のセクションは対称に配列させると共に第１の方向について互いから変位させており、また前側と後側セクションの両者はさらに、対称に配列させると共に第２の方向について互いから変位させた左部分と右部分を含む。この左部分と右部分の各々はさらに、第３の方向について互いから変位させた上側コイル素子と下側コイル素子を含む。これらのコイル素子は形状が概して矩形であると共に概して扁平な導体材料から形成させている。
【００１２】
また別の態様では、磁気共鳴イメージング（ＭＲＩ）システムは、コンピュータと、偏向磁場を発生させるためのマグネット・アセンブリと、偏向磁場に対して選択した傾斜軸に沿った傾斜波形を与えるための傾斜コイル・アセンブリと、を含む。さらに、撮像対象の核スピンを励起するようにＲＦエネルギーを印加し、その後で撮像対象の励起原子核が発生させた信号を検出するために無線周波数（ＲＦ）送受信器システムを使用している。このＲＦ送受信器システムはさらに、前側セクションと後側セクションを有する多重チャンネル・アレイコイルを含む。これら前側と後側のセクションは第１の方向について互いから変位させており、またこの前側と後側セクションの両者はさらに第２の方向について互いから変位させた左部分と右部分を含む。この左部分と右部分の各々はさらに、第３の方向について互いから変位させた上側コイル素子と下側コイル素子を含む。多重チャンネル・アレイコイルが検出した信号は、コンピュータによって処理して撮像対象のＭＲ画像を作成している。
【００１３】
さらに別の態様では、磁気共鳴イメージング（ＭＲＩ）向けの感度エンコーディングでの使用に適した多重チャンネル・アレイコイルを構成するための方法は、第１組の個別コイル素子を前側セクションをなすように配列させること、及び第２組の個別コイル素子を後側セクションをなすように配列させること、を含む。これら前側と後側のセクションは第１の方向について互いから変位させており、前側と後側セクションの両者はさらに第２の方向について互いから変位させた左部分と右部分をなすように配列させている。この左部分と右部分の各々はさらに、第３の方向について互いから変位させた上側コイル素子と下側コイル素子により配列させている。
【００１４】
最後に、さらにまた別の態様では、磁気共鳴イメージング（ＭＲＩ）向けの感度エンコーディングを実現させる方法は、偏向磁場を発生させること、及びこの偏向磁場に対して選択した傾斜軸に沿って傾斜波形を印加すること、を含む。次いで、撮像対象の核スピンを励起させるようにＲＦ送受信器システムが発生させるＲＦエネルギーを印加し、その後で撮像対象の励起原子核が発生させる信号を検出する。このＲＦ送受信器システムはさらに、前側セクションと後側セクションを有する多重チャンネル・アレイコイルを含む。これら前側と後側のセクションは第１の方向について互いから変位させており、また前側と後側セクションの両者はさらに第２の方向について互いから変位させた左部分と右部分を含む。この左部分と右部分の各々はさらに、第３の方向について互いから変位させた上側コイル素子と下側コイル素子を含む。
【００１５】
【発明の実施の形態】
ここで幾つかの図において同じ要素には同じ番号を付している例示的な図面を参照する。
【００１６】
先ず図１を参照すると、例示的な磁気共鳴（ＭＲ）イメージング・システム８は、パルス制御モジュール１２を介して傾斜コイル電力増幅器１４を制御しているコンピュータ１０を含む。このパルス制御モジュール１２及び傾斜増幅器１４は協同して、スピンエコー、グラジェントリコールド・エコー・パルスシーケンス、高速スピンエコー、またはその他のタイプのパルスシーケンスのいずれかのために適正な傾斜波形Ｇx、Ｇy及びＧzを発生させている。これらの傾斜波形は傾斜コイル１６に接続しており、またこの傾斜コイル１６は、傾斜Ｇx、Ｇy及びＧzがマグネット・アセンブリ３４からこれらのそれぞれの軸に沿って偏向磁場Ｂ0上に加えられるようにＭＲマグネット・アセンブリ３４のボアの周りで位置決めされている。
【００１７】
パルス制御モジュール１２はさらに、その各部分を破線ブロック３６で取り囲んでいるＲＦ送受信器システムの一部である無線周波数合成器１８を制御している。パルス制御モジュール１２はさらに、無線周波数合成器１８の出力を変調するＲＦ変調器２０を制御している。得られたＲＦ信号は、電力増幅器２２で増幅し送信／受信スイッチ２４を介してＲＦコイル２６に加えられており、このＲＦ信号を用いて撮像対象（図示せず）の核スピンを励起させる。
【００１８】
撮像対象の励起した原子核からのＭＲ信号は、ＲＦコイル２６によって取り込み送信／受信スイッチ２４を介して前置増幅器２８に与えて増幅し、さらに直角位相（ｑｕａｄｒａｔｕｒｅ  ｐｈａｓｅ）検出器３０によって処理する。検出した信号は高速Ａ／Ｄ変換器３２によってディジタル化してコンピュータ１０に加えられ、対象のＭＲ画像を作成する処理を行う。コンピュータ１０はさらに、シムコイル電源３８を制御してシムコイル・アセンブリ４０に電力供給する。
【００１９】
上述したように、フェーズドアレイ・コイルは、拡大させた撮像域（ＦＯＶ）にわたって改良したＳＮＲを提供するためにＭＲＩでよく使用される。並列イメージング技法の出現に伴って、感度ベースの（ＳＥＮＳＥ）再構成と連携して使用する各個別コイルに関して高信頼の感度評価を得ることも重要となった。共通信号強度変動以外に、感度ベース再構成ステップの条件付けに従って局所ノイズ強調が様々な程度で生じている。この影響は、特定のコイル配列をもつ幾何学構成に強く依存しており、局所幾何学ファクタ（ｇ）としてＰｒｕｅｓｓｍａｎｎらによって量的に記述されている。
【００２０】
幾何学ファクタはＳＥＮＳＥアレイの設計に関して重要な役目を果たすことが理解されることとなろう。幾何学ファクタとは、コイル感度と低減率Ｒ（ここで、Ｒは従来の全フーリエ・エンコードに対してサンプル数が低減される比率を意味する）の数学関数である。実際には、コイル構造は一般に、直接的で解析的なコイル最適化が行えない。このため、幾何学マップ及び基準ＳＮＲの決定が不可欠であるような感度エンコーディング向けに最適なコイル配列を求める際にはシミュレーションが有用なツールであることが分かっている。
【００２１】
ＳＥＮＳＥ画像の局所ＳＮＲは次式に従って決定する。
ＳＮＲSENSE＝ＳＮＲConventional／ｇＲ1/2
上式において、ＳＮＲConventionalは、位相エンコード・ステップの数を減少させずに（したがって、スキャン時間が丸ごと必要となる）、同じコイルアレイ及び撮像スキームを用いた場合に（すなわち、ＳＥＮＳＥ技法を用いない従来の画像処理で）得られるＳＮＲを意味している。したがって、ＳＥＮＳＥで作成した画像から最適なＳＮＲを得るには、コイルの幾何学ファクタを最小（理想値は１）に保持する必要があることが分かる。
【００２２】
しかし、さらに別の設計上の制約によって、アレイ内の各個別コイルをその近傍コイルからデカップリングし、ノイズと無相関とすることが要求されることを理解されたい。一般に、重複デカップリングを伴う従来のコイルは発生する幾何学配置関連のノイズ強調がより大きい傾向にあり、したがってＳＥＮＳＥイメージングには適さない。したがって、別のデカップリング方法を実施することがある。一方、ある特定の方向に沿ってコイルをアンダーラップ（ｕｎｄｅｒｌａｐ）（非重複（ｎｏｎ−ｏｖｅｒｌａｐ））とすると、この方向と垂直な面内で検出される信号がなくなることがあり得る。より具体的には、ｚ方向でのアンダーラップではｘｙ平面における無信号が生じるが、ｘ方向やｙ方向のアンダーラップではいずれも対応する面内で無信号は生じないことが分かっている。その理由は、正味磁化ベクトルがいずれの時点でもｚ軸の周りに回転しているためである。
【００２３】
したがって、本発明の実施の一形態では、３つの主要撮像方向（すなわち、上側−下側、左−右、及び前側−後側）で対称に配列させた多重チャンネル（より具体的には、８チャンネル）心臓アレイコイルを開示する。これらの８素子は、斜位や２方向斜位を含め可能なすべての面においてＳＥＮＳＥスキャン時間低減アルゴリズムを使用して画像が収集できるような方法で構成させている。
【００２４】
ここで図２を参照すると、心臓アレイコイル１００の概略（斜視）図を表している。コイル１００は、前側セクション１０２が後側セクション１０４に対して対称の配列となり、かつｙ方向（図２の座標軸記号で示す方向）について後側セクション１０４から変位するように構成している。一方、前側セクション１０２と後側セクション１０４の両者はさらに、左部分１０６と右部分１０８に分割されている。左部分１０６と右部分１０８もまた、互いに対称に配列させ、かつｘ方向について互いから変位させている。左部分１０６と右部分１０８の各々は、ｚ方向に沿って一対の個別の重複表面コイル素子１１０を有する。
【００２５】
図示及び説明を簡単にするため、図２では、これらの個別コイル素子１１０に１〜８の番号を付している。したがって、前側セクション１０２は１〜４の番号を付した個別コイル素子１１０を含み、また後側セクション１０４は５〜８の番号を付したコイル素子１１０を含む。前側セクション１０２内において、左部分はコイル素子番号１及び３を含み、また右部分はコイル素子番号２及び４を含む。同様に、後側セクション１０４の左部分はコイル素子番号５及び７を含み、また後側セクション１０４の右部分はコイル素子番号６及び８を含む。各方向軸に関するコイル素子１１０の対称な配列は、ｙ方向と平行な線ｌ内に位置する１点であるアイソセンタＱを基準にして図示している（アイソセンタＱは線ｌ内に位置するように図示しているが、アイソセンタは主磁場の各軸のすべてに関する「中点」を意味することを理解すべきである）。次いで動作時には、コイル素子番号１、２、３及び４はコイル素子番号５、６、７及び８のそれぞれを覆う位置でｙ方向で垂直に整列している。
【００２６】
各コイル素子１１０ごとに特有の感度プロフィールを生成させるために、これらの素子を物理的に離隔させて、アンダーラップを生成させることが好ましい。これらの個別コイル素子１１０はｘ方向に沿っては変成器デカップリング法を用いて互いにデカップリングさせており、一方これらの素子１１０はｙ方向に沿っては前置増幅器デカップリングを用いて互いにデカップリングさせている。詳細には、図３は、コイル素子１１０の例示的な一対の間でのｘ方向に沿った変成器デカップリングを模式的に表した図である。上述したように、ｚ方向にアンダーラップを設けると、ｚ方向と垂直な面内のそのアンダーラップ位置において検出信号が生じないことが分かった。この欠点を克服するために、これらの素子１１０をｚ方向で重複させており、さらに臨界重複法（critical overlap method）によってこの方向で幾何学的にデカップリングさせている。図３において、各コイル素子１１０は、その４つのセグメントのそれぞれの範囲でＲＦ共鳴を提供するために４つの容量性素子１１２を含むことにも留意されたい。
【００２７】
図４は、コイル１００の前側セクション１０２のレイアウトをより詳細に表したものである。前側と後側のセクションのレイアウトは本質的に同じであるため、簡略化するため前側セクション１０２のみを表している。図から分かるように、前側セクション１０２は、この場合も素子番号１〜４を付した４つの個別コイル素子１１０を含んでいる。各コイル素子１１０は形状が概して矩形であり、かつ概して扁平なスズめっきした銅などの導体材料から形成させている。概して矩形のコイル素子１１０の各々の各側面内において、銅セグメント範囲のギャップの間に容量性素子１１２が示されていることに留意されたい。
【００２８】
ｚ方向でコイルを重複させる方式（素子番号１と３の間、並びに素子番号２と４の間）も図示している。例えば、コイル素子番号１と３の重複エリアにおいて、これらのコイル導体は約４５°の角度で両側面から内側に曲げられ、これによって２つの交点（Ａ１及びＡ２）が生じており、コイル素子番号１と３からの導体は互いに対して概して垂直な角度で重複式に交差している。より具体的には、コイル素子番号３はコイル素子番号１と点Ａ１及びＡ２で重複している。
【００２９】
最後に、図４では、ｘ方向での変成器デカップリングも図示している。第１の変成器１２２ａはコイル素子番号３と４の間の隣接する隅に位置させている。同様に、第２の変成器１２２ｂはコイル素子番号１と２の間の隣接する隅に位置させている。これらのコイル素子１１０の各々は、後側セクション１０４（図４では図示せず）の対応するコイル素子とのデカップリングのために前置増幅器１１６が設けてあるように示している。
【００３０】
アイソセンタの周りに対称に配列させた８つの素子を有するような上述の心臓アレイコイル１００を使用することによって、すべてのスライス向き（特に２方向斜位の心臓イメージング）に関してＳＥＮＳＥ収集の実施可能性が達成される。こうした構成によると、各個別コイル素子１１０で３種類のデカップリング方法を使用し近傍のコイル素子間の分離が得られると共に、さらにすべての撮像面でのＳＥＮＳＥ機能に対応できる。
【００３１】
本発明に関し好ましい実施の一形態を参照しながら記載してきたが、本発明の趣旨を逸脱することなく様々な変更が可能であると共に、本発明の各要素が等価物により代用可能であることは当業者であれば理解するであろう。さらに、多くの修正形態により、本発明の本質的趣旨を逸脱することなく具体的な状況または素材を本発明の教示に適応させることができる。したがって、本発明を実行するように企図されたベストモードとして開示したこの具体的な実施形態に、本発明を限定しようという意図ではなく、逆に、本発明は本特許請求の範囲の趣旨に属するすべての実施形態を包含するという意図である。
【図面の簡単な説明】
【図１】本発明の実施形態との使用に適した例示的なＭＲイメージング・システムの概略ブロック図である。
【図２】本発明の実施の一形態による、ＳＥＮＳＥイメージングに適した多重チャンネル心臓アレイコイルの斜視図である。
【図３】一対のコイル素子のｘ方向に沿ったデカップリングを表した回路図である。
【図４】図２の心臓アレイコイルの前側セクションのレイアウトの詳細図である。
【符号の説明】
８  磁気共鳴（ＭＲ）イメージング・システム
１０  コンピュータ
１２  パルス制御モジュール
１４  傾斜コイル電力増幅器、傾斜増幅器
１６  傾斜コイル
１８  無線周波数合成器
２０  ＲＦ変調器
２２  電力増幅器
２４  送信／受信（Ｔ／Ｒ）スイッチ
２６  ＲＦコイル
２８  前置増幅器
３０  直角位相検出器、位相検出器
３２  Ａ／Ｄ変換器
３４  マグネット・アセンブリ
３８  シムコイル電源
４０  シムコイル・アセンブリ
１００  心臓アレイコイル
１０２  前側セクション
１０４  後側セクション
１０６  左部分
１０８  右部分
１１０  個別のコイル素子
１１２  容量性素子
１１６  前置増幅器
１２２ａ  第１の変成器
１２２ｂ  第２の変成器
Ｑ  アイソセンタ
【図１】
0004362309.tif 000002
【図２】
0004362309.tif 000003
【図３】
0004362309.tif 000004
【図４】
0004362309.tif 000005